(57)【特許請求の範囲】
【請求項１】
底面に横長の開口を設け、内蔵する駆動装置によって回転される回転ロータを、開口底面より突出させた掃除機用床ノズルにおいて、
回転ロータを構成するロータを、外周に一条ないし複数条のブレード部材、あるいは、ブラシ部材を取付けるための溝を、軸の長手方向に設けた金属棒状体とし、端部のブラケットにロータを挿入する穴と、挿入されたロータの端面角部がシメ代を有する長さに突出する軸の長手方向の穴とを設け、ブラケットにロータを挿入後、突出した端面角部をカシメ等の塑性変形によって固着するようにした、掃除機用床ノズルの回転ロータ。
【請求項２】
ブラケットのロータを挿入する穴の内面に、ブレード部材やブラシ部材の取付けられる溝にはまり合う回り止め片を設け、ブラケットの外周から回り止め片に向って、回り止め片を貫通するか、あるいは、底面がロータの外周より内側にくるような穴をあけ、ブラケットにロータを挿入後、この穴からロータの溝の開口縁をカシメ等の塑性変形によって固着するようにした、請求項１記載の、掃除機用床ノズルの回転ロータ。
【発明の詳細な説明】
【０００１】
【産業上の利用分野】
本発明は、掃除機のアタッチメントとして使用される床ノズルの、駆動装置によって回転される、回転ロータに関するものである。
【０００２】
【従来の技術】
従来の掃除機用床ノズルの回転ロータの構造の一例を図１２に示す。ブラッケト１０１には、ロータ１０２が挿入される穴１０３と、その内面に、ロータ１０２のブレード部材１０４やブラシ部材１０５が取付けられる溝１０６にはまり込む回り止め片１０７が設けられ、中央に軸１０８がインサート等の方法によって一体に成型されていた。  また、ロータ１０２には、軸１０８が挿入される穴１０９があけられていた。ブラケット１０１とロータ１０２とは、はめ込みとそこに塗布された接着剤によって、回着されていた。また、はめ込みに圧入の方法を採用したものも見られた。
【０００３】
【発明が解決しようとする課題】
このため、従来の回転ロータは、接着のための前処理、すなわち、油や汚れの除去、接着剤の塗布、接着剤の硬化時間等が必要で、製作に手間と費用がかかって、高価なものであった。また、圧入方法を採用したものは、圧入される部位の寸法精度の維持と管理を、より高度なものにする必要があって、高価なものとなっていた。
【０００４】
本発明は、ロータをアルミニウムやその合金（以下アルミニウムという）等の金属材にすることによって、塑性加工が可能になることに着目してなされたもので、ブラケットをロータにカシメて強固に固着せしめ、安価な回転ロータを提供することができるようにした。
【０００５】
【課題を解決するための手段】
ロータは、素材をアルミニウムとし、外周に一条ないし複数条のブレード部材やブラシ部材の取付用の溝を、軸の長手方向に設け、押出しの方法で作ったものを、両端を固持して軸の周りに捩って、溝を螺旋状にする。
【０００６】
本発明請求項１による課題解決手段は、ブラケットの軸方向外側から、ロータの端面角部が底面より突出する穴をあけ、この穴の中で、ロータの端面角部をカシメ等によって変形させて、ブラケットとロータの固着を行うようにしたものである。
【０００７】
請求項２による課題解決手段は、ブラケットの外周から、ロータの回り止め片に向って、回り止め片を貫通するか、あるいは、底面がロータの外周より内側にくるような穴をあけ、この穴の中で、ロータの溝の開口縁をカシメ等によって変形させて、ブラケットとロータの固着を行うようにしたものである。
【０００８】
【作用】
上記のように構成された回転ロータは、アルミニウムで作られたロータ自身の一部を変形させた、機械的手段によって、ブラケットを固着しているので、その固着は強固で信頼性の高いものとすることができる。
【０００９】
【実施例】
実施例について図面を参照して説明する。
図において、１は底面に細長い横長の開口２を有する床ノズルの下ケース、３は上ケース、４は開口２の中央で下ケース１と上ケース３によって囲まれた吸気口、５は掃除機の延長管（図示せず）に接続される吸気パイプ、６はモータ７の回転を回転ロータ８に伝えるベルトで、モータ７の駆動プーリ９と、回転ロータ８の従動プーリ１０に掛けられている。
【００１０】
回転ロータ８は、アルミニウムで作られたロータ１１、弾性体で作られたブレード部材１２、従動プーリ１０と軸１３を有する従動側ブラケット１４、軸１５を有する遊び側ブラケット１６より構成され、下ケース１の両端に設けた軸受１７、１８取付用の凹部１９、２０にはめ込まれて、回転自在に保持されている。
【００１１】
ロータ１１は、図９に示すように、外周２１に開口２２した溝２３を長手方向に４条設けたアルミニウム製で、直線状の押出し成形で作られ、両端部２４、２５に捩り工具（図示せず）をはめて、軸心の周りに捩り加工をして、開口２２と溝２３を螺旋状にしてある。
【００１２】
螺旋状の溝２３に、図１０に示すような、可撓性のあるゴムやプラスチックで作られ、固定端２６と開放端２７を持った細長帯状のブレード部材１２の、固定端２６をはめ込む。ブレード部材１２の開放端２７は、ロータ１１の開口２２より外方に突出されている。
【００１３】
螺旋状の開口２２と溝２３には、図１１に示すような、パイル状の繊維からなるハケ２８を、基布２９の略中央に植毛したブラシ部材３０をはめ込んで、被清掃面によって使い分けることができる。
【００１４】
請求項１による実施例を図３、図４に示す。
従動側ブラケット１４には、ロータ１１が挿入される穴３１、この穴３１の内面にロータ１１の開口２２にはめ合せて位置決めをする突片３２、穴３１の反対側からロータ１１の端面角部３３が略中央に位置するカシメ穴３４が設けられている。カシメ穴３４は、ロータ１１の端面角部３３が、カシメ代を有する長さに突出するような深さにされている。
【００１５】
遊ひ側ブラケット１６にも、ロータ１１が挿入される穴３５、突片３６、カシメ穴３７が、従動側ブラケット１４と同じように、設けられている。
【００１６】
ロータ１１に、ブレード部材１２をはめ込み、ロータ１１の両端部２４、２５を、従動側ブラケット１４の穴３１、遊び側ブラケット１６の穴３５に挿入すると、ロータ１１の端面角部３３、３８は、カシメ穴３４、３７内に突出する。カシメ穴３４、３７に工具（図示せず）を入れて、軸方向に加圧すると、ロータ１１の端面角部３３、３８は外方につぶされて、ロータ１１と、従動側ブラケット１４、遊び側ブラケット１６とが、機械的に固着される。
【００１７】
請求項２による実施例を図５、図６、図７、図８に示す。
従動側ブラケット１１４には、ロータ１１が挿入される穴１３１、この穴１３１の内面にロータ１１の開口２２と溝２３にはめ込まれて回り止めをする回り止め片１３２、外周から回り止め片１３２に向ってカシメ穴１３４が設けられている。カシメ穴１３４は、回り止め片１３２を貫通するか、あるいは、底面１４０がロータ１１の外周２１より内側にくるようにあけられている。
【００１８】
遊び側ブラケッと１１６にも、ロータ１１が挿入される穴１３５、回り止め片１３６、カシメ穴１３７が、従動側ブラケット１１４と同じように、設けられている。
【００１９】
ロータ１１に、ブレード部材１２をはめ込み、ロータ１１の両端部２４、２５を、従動側ブラケット１１４の穴１３１、遊ひ側ブラケット１１６の穴１３５に挿入すると、ロータ１１の開口縁１４１は、カシメ穴１３４、１３７内に、図７に示すように突出する。カシメ穴１３４、１３７に工具（図示せず）を入れて、軸の直角方向に加圧すると、図６に示すように、開口縁１４１がつぶされて、ロータ１１と、従動側ブラケット１１４、遊び側ブラケット１１６とが、機械的に固着される。
【００２０】
【発明の効果】
本発明は、以上説明したように構成されているので、ロータとブラケットは、ロータの塑性変形による機械的な固着となり、その固着は強固で信頼性の高いものとすることができる。また、固着は単純で簡単な、カシメ作業のみで完成するので、従来の接着や圧入の方法に比して、安価なものとすることができる利点も有する。
【図面の簡単な説明】
【図１】  本発明の回転ロータを収納している床ノズルの、上ケースを除いた斜視図。
【図２】  床ノズルの横断面図。
【図３】  請求項１の実施例を示す、回転ロータの一部を断面にした正面図。
【図４】  請求項１の実施例を示す、ブレードをはめたロータと、従動側ブラケットの斜視図。
【図５】  請求項２の実施例を示す、回転ロータの一部を断面にした正面図。
【図６】  図５のＡ−Ａ断面図。
【図７】  ロータ開口縁のカシメ前の状態を示す、図５のＡ−Ａ断面図。
【図８】  請求項２の実施例を示す、ブレードをはめたロータと、従動側ブラケットの斜視図。
【図９】  ロータの斜視図。
【図１０】  ブレード部材の斜視図。
【図１１】  ブラシ部材の斜視図。
【図１２】  従来の実施例を示す、ブレードをはめたロータと、従動側ブラケットの斜視図。
【符号の説明】
８  回転ロータ
１１  ロータ
１２  ブレード部材
１４  １１４  従動側ブラケット
１６  １１６  遊び側ブラケット
２２  開口
２３  溝
３１  ３５  １３１  １３５  穴
３２  ３６  突片
３３  ３８  端面角部
３４  ３７  １３４  １３７  カシメ穴
１３２  １３６  回り止め片
１４１  開口縁
【図１】
0003642357.tif 000002
【図２】
0003642357.tif 000003
【図３】
0003642357.tif 000004
【図４】
0003642357.tif 000005
【図５】
0003642357.tif 000006
【図６】
0003642357.tif 000007
【図７】
0003642357.tif 000008
【図８】
0003642357.tif 000009
【図９】
0003642357.tif 000010
【図１０】
0003642357.tif 000011
【図１１】
0003642357.tif 000012
【図１２】
0003642357.tif 000013